(57)【要約】【課題】  パーティションの物理的な厚みや重量を増大させず、かつ、本来の会話に支障をきたさない程度にマスキング音の音圧を抑えながら、所望の秘匿化効果が得られるマスキングパーティション等を提供する。【解決手段】  マスキングパーティション１は、主に、遮音ボード３ａ、振動板５、音響振動子９等から構成される。遮音ボード３ａは、例えば石膏ボードであり、それ自体が物理的な遮音・吸音性能を発揮する部材である。遮音ボード３ａの略中央部には、所定の大きさの開口部７が形成される。遮音ボード３ａの一方の側には、開口部７を塞ぐように、振動板５が設けられる。すなわち、振動板５は、開口部７よりもわずかに大きい部材である。振動板５の背面側には、音響振動子９が接着される。音響振動子９は、信号伝搬手段であるケーブル１１を介して、音響信号発生手段からの音響信号に応じて振動板５を振動させる。【選択図】図１
2013231931.tif 000002
【特許請求の範囲】
【請求項１】
マスキングパーティションであって、
開口部を有する第１の遮音ボードと、
前記開口部を前面側から塞ぐように、前記第１の遮音ボードの少なくとも一方の面に設けられた振動板と、
前記振動板の背面に装着された音響振動子と、
前記音響振動子に対して、音響信号を供給するための信号伝搬手段と、
を具備し、
音響信号発生手段により発生する音響信号が前記信号伝搬手段によって前記音響振動子に伝搬されることを特徴とするマスキングパーティション。
【請求項２】
前記第１の遮音ボードの背面側に設けられる第２の遮音ボードをさらに具備し、
前記第２の遮音ボードは開口部を有さずに遮音壁として機能することを特徴とする請求項１記載のマスキングパーティション。
【請求項３】
前記第１の遮音ボードは、単一の材料または異なる材料を複数枚積層して構成され、厚さが２０ｍｍ〜４０ｍｍであり、
前記振動板には、厚さ４〜１５ｍｍのハニカム構造のボードが用いられることを特徴とする請求項１または請求項２に記載のマスキングパーティション。
【請求項４】
前記振動板は全周が前記第１の遮音ボードに接触するように、前記第１の遮音ボードの開口部の縁に密着されていることを特徴とする請求項１から請求項３のいずれかに記載のマスキングパーティション。
【請求項５】
前記音響振動子は所定の間隔で前記振動板に複数個装着されていることを特徴とする請求項１から請求項４のいずれかに記載のマスキングパーティション。
【請求項６】
前記第１の遮音ボードには、前記音響信号発生手段が収容され、
前記音響信号発生手段は、あらかじめ収録された音声情報に基づいて、音楽信号に変換を加えた作成された秘匿化データを再生可能であり、
前記秘匿化データは、
前記音声情報より音声最大値スペクトルを、前記音楽信号より音楽平均値スペクトルを解析し、前記音声最大値スペクトルに基づく値を、前記音楽平均値スペクトルに基づく値によって互いに対応する周波数ごとに除した値である除算値スペクトルを算出するとともに、除算値スペクトルの各値に対して、互いに対応する周波数ごとに聴覚感度補正曲線に基づく値を乗算することにより、フィルタ関数を作成し、前記音楽信号の各フレームをフーリエ変換し、フィルタ関数を乗じ、フーリエ逆変換することによって、生成されることを特徴とする請求項１から請求項５のいずれかに記載のマスキングパーティション。
【請求項７】
前記音響信号発生手段は、
音響信号再生手段と、
前記音響信号再生手段に対して直流電力を供給する直流電力供給手段と、を具備し、
前記音響信号再生手段、前記直流電力供給手段および前記信号伝搬手段は、前記マスキングパーティションの内部に設置され、前記音響信号発生手段に対して操作が可能な操作手段が前記マスキングパーティションの外部に露出することを特徴とする請求項１から請求項６のいずれかに記載のマスキングパーティション。
【請求項８】
前記信号伝搬手段は、他のマスキングパーティションに音響信号を伝達するための音響信号分岐手段をさらに具備することを特徴とする請求項１から請求項７のいずれかに記載のマスキングパーティション。
【請求項９】
請求項１から請求項８のいずれかに記載のマスキングパーティションを用いたマスキングパーティションの設置構造であって、
前記マスキングパーティションの下側に、遮音ボードで構成されたマスキング用スピーカを内蔵していない遮音パーティションを配置し、前記マスキングパーティションが、床から所定高さ以上の高さに配置されることを特徴とするマスキングパーティションの設置構造。
【請求項１０】
請求項１から請求項８のいずれかに記載のマスキングパーティションを用いたマスキングパーティションの設置構造であって、
前記マスキングパーティションの上側に、遮音ボードで構成されたマスキング用スピーカを内蔵していない遮音パーティションを配置し、天井との間の隙間を塞ぐことを特徴とするマスキングパーティションの設置構造。
【請求項１１】
開口部を有する第１の遮音ボードと、前記開口部を塞ぐように、前記第１の遮音ボードの少なくとも一方の面に設けられた振動板と、前記振動板の背面に装着された音響振動子と、を少なくとも具備する第１のマスキングパーティションと、
前記第１のマスキングパーティションに対して、さらに内部に音響信号発生手段が設けられる第２のマスキングパーティションと、
遮音ボードで構成され、マスキング用スピーカを内蔵していない遮音パーティションと、がそれぞれ１つまたは複数組み合わせて設置され、
第２のマスキングパーティションの前記音響信号発生手段からの信号は、前記第１のマスキングパーティションの音響振動子にも伝搬されることを特徴とするマスキングパーティションの設置構造。
【請求項１２】
開口部を有する第１の遮音ボードと、前記開口部を塞ぐように、前記第１の遮音ボードの少なくとも一方の面に設けられた振動板と、前記振動板の背面に装着された音響振動子と、を少なくとも具備するマスキングパーティションと、
遮音ボードと、音響信号を発生する音響信号発生手段と、を少なくとも具備する第１の遮音パーティションと、
遮音ボードで構成され、マスキング用スピーカを内蔵していない第２の遮音パーティションと、がそれぞれ１つまたは複数組み合わせて設置され、
第１の遮音パーティションの前記音響信号発生手段からの信号は、前記マスキングパーティションの音響振動子に伝搬されることを特徴とするマスキングパーティションの設置構造。
【発明の詳細な説明】
【技術分野】
【０００１】
本発明は、会話音声が、隣室、待合室などで、周囲に居る人々に聴取されることを防ぐマスキングパーティション等を提供するものである。
【背景技術】
【０００２】
オフィスビルの会議室・応接室、医療機関（調剤薬局などの受付カウンター）、金融機関・保険会社の相談カウンター、法律事務所などの面談室、携帯電話店のカウンター、会食に使われる飲食店などにおいて交わされる対話音声は、第三者に聴取されることが好ましくない個人情報や企業の機密情報が含まれることが少なくない。
【０００３】
このような場所においては、遮音パーティションが用いられる。図７は、従来の遮音パーティション１００の一例の断面概略図である。遮音パーティション１００は、主に、吸音材１０１、遮音ボード１０３、保護材１０５、吸音材１０７等から構成される。
【０００４】
吸音材１０１は、ハニカムボード等の中空部を有する部材である。吸音材１０１の両面には、遮音ボード１０３が設けられる。遮音ボード１０３は石膏ボードによって構成される。また、遮音ボード１０３の外面には、スチール製の保護材１０５が配置される。さらに、遮音パーティション１００の外面には、吸音材１０７（化粧シートなどの表面材を含む）が設けられる。このような遮音パーティション１００を、上述した場所に配置することで、対話音声が、第三者に聴取されることが防止される。
【０００５】
しかしながら、このような従来の遮音パーティション１００は、十分な遮音性を確保することが困難である。すなわち、遮音パーティション１００の遮音性を上げようとすると、遮音パーティション１００の物理的な厚みや重量が増大し、部屋のスペース制約上、設置困難になる。
【０００６】
これに対し、パーティションにスピーカを取り付けて、空調音等を流すエネルギーマスキング方法がある（特許文献１）。また、パーティション自体にスピーカ機能をもたせ空調音を流すエネルギーマスキング方法がある（特許文献２）。また、会話音を撹乱する音声を加えるインフォメーションマスキング方法がある（特許文献３）。また、聴取される会話音の音韻にリアルタイムに信号処理を加えるインフォメーションマスキング方法がある（特許文献４）。
【先行技術文献】
【特許文献】
【０００７】
【特許文献１】特開２０１０−３１５０１号公報
【特許文献２】特開平５−５３３４号公報
【特許文献３】特許第４２４５０６０号公報
【特許文献４】特許第４３３６５５２号公報
【発明の概要】
【発明が解決しようとする課題】
【０００８】
しかし、特許文献１において、マスキング効果を上げようとすると、流すマスキング音の音圧を上げる必要がある。このため、室内騒音が増大しその場にいる人に対して不快感を与え、本来の会話に支障をきたす恐れがある。
また、特許文献２は、パーティションやテーブル板を振動子で直接駆動する方法を採用する。しかし、この方法では、振動子との接着点においてインピ−ダンスの不整合および伝搬損失が生じ、十分な音響出力を得ることができない。このため、マスキング効果を上げようとすると、従来の遮音パーティション１００と同様に、パーティションの物理的な厚みや重量増大をさせざるを得ず、部屋のワークスペースが狭くなってしまう。
【０００９】
また、特許文献３では、秘匿化効果が得られるエリアが限定され、室内の撹乱音声により、室内にいる者に不快感を与える恐れがある。
また、特許文献４では、マイクロフォンにより会話音声を常時収録する必要がある。このため、システムが大掛かりで高価になる。さらに、特許文献２と同様に、室内に信号処理音にともなう不快感を与える恐れがある。また、この方法は場合によっては、会話音を傍受するため、プライバシー侵害として容認されない可能性がある。
【００１０】
本発明は、このような問題に鑑みてなされたもので、パーティションの物理的な厚みや重量を増大させず、かつ、パーティションで区切られた同一空間・部屋における本来の会話に支障をきたさない程度にマスキング音の音量を抑えながら、所望の秘匿化効果が得られるマスキングパーティション等を提供することを目的とする。
【課題を解決するための手段】
【００１１】
前述した目的を達するために第１の発明は、マスキングパーティションであって、開口部を有する第１の遮音ボードと、前記開口部を前面側から塞ぐように、前記第１の遮音ボードの少なくとも一方の面に設けられた振動板と、前記振動板の背面に装着された音響振動子と、前記音響振動子に対して、音響信号を供給するための信号伝搬手段と、を具備し、音響信号発生手段により発生する音響信号が前記信号伝搬手段によって前記音響振動子に伝搬されることを特徴とするマスキングパーティションである。
【００１２】
このように、本発明では、遮音ボード全体を音響振動子によって振動させる方法と比較して、インピーダンスの小さい振動板が、遮音ボードに形成された開口部を完全に塞ぐように設けられる。このため、振動板を音響振動子によって振動させることで、振動板を媒介させパーティションから音波を放射することができる。したがって、パーティション本来の遮音・吸音性能を維持しながら、より広い面積から十分な音圧で音波を出力することができる。
【００１３】
また、マスキングパーティションの内部に音響信号を発生する音響信号発生手段と信号伝搬手段とが配置されれば、余分な制御ボックス等をマスキングパーティションの外部に設置するスペースを考慮する必要がない。このため、配線工事も簡便になり、内装デザインを損なうことがない。したがって、従来の遮音パーティションと同等な設置スペースで済み、従来と同様の内装デザインおよび工事負担を維持することができる。
【００１４】
前記第１の遮音ボードの背面側に設けられる第２の遮音ボードをさらに具備し、前記第２の遮音ボードは開口部を有さずに遮音壁として機能させてもよい。
【００１５】
このような構成とすることで、マスキングパーティション自体の受動的な遮音・吸音機能が損なわれることがない。また、パーティションを構成する遮音ボードに対する改造を最小限にすることができる。
【００１６】
前記第１の遮音ボードは、単一の材料または異なる材料を複数枚積層して構成され、厚さが２０ｍｍ〜４０ｍｍであり、前記振動板には、厚さ４〜１５ｍｍのハニカム構造のボードが用いられる。
【００１７】
このようにすることで、受動的な遮音・吸音機能を確保することができるとともに、マスキングパーティション自身の物理的機能により減衰した会話漏れ音声に対して、マスキング音により秘匿化すればよいため、より小さい音圧で所望の効果をもたせることができる。
【００１８】
前記振動板は全周が前記第１の遮音ボードに接触するように、前記第１の遮音ボードの開口部の縁に密着されていることが望ましい。
【００１９】
このようにすることで、より効率良く、振動板を介してマスキングパーティションから音波を放射することができる。
【００２０】
前記音響振動子は所定の間隔で前記振動板に複数個装着されていることが望ましい。
【００２１】
このようにすることで、振動板から発せられる音響に指向性を持たせることができる。例えば、振動子を２つ以上配置し、並列に同相駆動させることにより、振動板に対し垂直方向に直進性の高い音波を放射することができる。なお、これにより、振動板の両面から等分に音波が放射されるようになるが、マスキングパーティション内の振動板の片方に遮音材や吸音材を付加すれば、一方の表面から優位に音波が放射されるように制御することもできる。
【００２２】
前記第１の遮音ボードには、前記音響信号発生手段が収容され、前記音響信号発生手段は、日本人の代表的な男声および女声の会話音を混合した、あらかじめ収録された音声情報に基づいて、与えられた音楽信号に変換を加えた秘匿化データを再生可能であり、前記秘匿化データは、前記音声情報より音声の最大値スペクトルを、前記音楽信号より音楽平均スペクトルを解析し、前記音声最大値スペクトルに基づく値を、前記音楽平均値スペクトルに基づく値によって互いに対応する周波数ごとに除した値である除算値スペクトルを算出するとともに、除算値スペクトルの各値に対して、互いに対応する周波数ごとに聴覚感度補正曲線に基づく値を乗算することにより、フィルタ関数を作成し、前記音楽信号の各フレームをフーリエ変換し、フィルタ関数を乗じ、フーリエ逆変換することによって、前記秘匿化データが生成されるようにしてもよい。
【００２３】
このようにすることで、会話音の周波数特性と整合し、マスキング音が効果的に働くようになり、空調音のみならず、自然音、一般の音楽など室内環境に最適なジャンルの音源を選別して、室内環境を快適にしながら、比較的低い音量でマスキング効果を効かせることができる。
【００２４】
前記音響信号発生手段は、音響信号再生手段と、前記音響信号再生手段に対して直流電力を供給する直流電力供給手段と、を具備し、前記音響信号再生手段、前記直流電力供給手段および前記信号伝搬手段は、前記マスキングパーティションの内部に設置され、前記音響信号発生手段に対して操作が可能な操作手段が前記マスキングパーティションの外部に露出させてもよい。
【００２５】
このように、マスキングパーティションの内部に、音響信号再生手段、直流電力供給手段、操作手段等を配置することで、マスキングパーティションの外部に余分な設置スペースが不要である。また、操作手段がマスキングパーティションの外部に露出するため、操作が容易である。
【００２６】
前記信号伝搬手段は、他のマスキングパーティションに音響信号を伝達するための音響信号分岐手段をさらに具備してもよい。
【００２７】
このようにすることで、一つの音響信号発生手段から、複数のマスキングパーティションに対して、同期した音響信号を伝搬することができる。
【００２８】
第２の発明は、第１の発明にかかるマスキングパーティションを用いたマスキングパーティションの設置構造であって、前記マスキングパーティションの下側に、遮音ボードで構成されたマスキング用スピーカを内蔵していない遮音パーティションを配置し、前記マスキングパーティションが、床から所定高さ以上の高さに配置されることを特徴とするマスキングパーティションの設置構造である。
【００２９】
このようにすることで、室内を複数枚のパーティションで仕切る場合において、人が音声を発したり聞いたりする高さに対して、効率良く、マスキング音を発生させることができる。また、全てのパーティションをマスキングパーティションとする必要がないため、コストを抑制することができる。
【００３０】
前記マスキングパーティションの上側に、遮音ボードで構成されたマスキング用スピーカを内蔵していない遮音パーティションを配置し、天井との間の隙間を塞ぐことが望ましい。
【００３１】
このようにすることで、パーティションと天井との間から、隣室からの音声が漏れることを抑制することができ、より低い音量のマスキング音で所望のマスキング効果を働かせることができる。
【００３２】
開口部を有する第１の遮音ボードと、前記開口部を塞ぐように、前記第１の遮音ボードの少なくとも一方の面に設けられた振動板と、前記振動板の背面に装着された音響振動子と、を少なくとも具備する第１のマスキングパーティションと、前記第１のマスキングパーティションに対して、さらに内部に音響信号発生手段が設けられる第２のマスキングパーティションと、遮音ボードで構成され、マスキング用スピーカを内蔵していない遮音パーティションと、がそれぞれ１つまたは複数組み合わせて設置され、第２のマスキングパーティションの前記音響信号発生手段からの信号は、前記第１のマスキングパーティションの音響振動子にも伝搬されることを特徴とするマスキングパーティションの設置構造としてもよい。
【００３３】
このようにすることで、室内を複数枚のパーティションで仕切る場合において、全てのパーティションをマスキングパーティションとする必要がないため、コストを抑制することができるとともに、一つの音響信号発生手段から、複数のマスキングパーティションに対して、音響信号を同期させて伝搬することができる。前記音響信号発生手段が２チャンネル・ステレオ音源を発生する場合、同期させて伝搬される音響信号はＬチャンネルまたはＲチャンネルの２種類の異なる音響信号から選択された音響信号となり、マスキングパーティションに供給される音響信号は必ずしも同一ではない。
【００３４】
開口部を有する第１の遮音ボードと、前記開口部を塞ぐように、前記第１の遮音ボードの少なくとも一方の面に設けられた振動板と、前記振動板の背面に装着された音響振動子と、を少なくとも具備するマスキングパーティションと、遮音ボードと、音響信号を発生する音響信号発生手段と、を少なくとも具備する第１の遮音パーティションと、遮音ボードで構成され、マスキング用スピーカおよび音響信号発生手段を内蔵していない第２の遮音パーティションと、がそれぞれ１つまたは複数組み合わせて設置され、第１の遮音パーティションの前記音響信号発生手段からの信号は、前記マスキングパーティションの音響振動子に伝搬されることを特徴とするマスキングパーティションの設置構造としてもよい。
【００３５】
このようにすることで、室内を複数枚のパーティションで仕切る場合において、全てのパーティションをマスキングパーティションとする必要がないため、コストを抑制することができるとともに、音響信号発生手段を遮音パーティション内に配置するため、マスキングパーティションの構成を簡易にすることができる。
【発明の効果】
【００３６】
本発明によれば、パーティションの物理的な厚みや重量を増大させず、かつ、パーティションで区切られた同一空間・部屋における本来の会話に支障をきたさない程度にマスキング音の音量を抑えながら、所望の秘匿化効果が得られるマスキングパーティション等を提供することができる。
【図面の簡単な説明】
【００３７】
【図１】マスキングパーティション１を示す図で、（ａ）は正面図、（ｂ）は（ａ）のＡ−Ａ線断面図。
【図２】マスキングパーティション１０を示す断面図。
【図３】（ａ）はマスキングパーティション２０ａを示す断面図、（ｂ）はマスキングパーティション２０ｂを示す断面図。
【図４】マスキングパーティション３０を示す図で、（ａ）は正面図、（ｂ）は（ａ）のＢ−Ｂ線断面図。
【図５】マスキングパーティション設置構造４０を示す図。
【図６】マスキングパーティション設置構造４０ａを示す図。
【図７】遮音パーティション１００を示す断面図。
【発明を実施するための形態】
【００３８】
以下、図面を参照しながら、本発明の実施形態について説明する。図１は、マスキングパーティション１を示す図であり、図１（ａ）は正面図、図１（ｂ）は図１（ａ）のＡ−Ａ線断面図である。マスキングパーティション１は、本発明にかかるマスキングパーティションの基本構成を示す。マスキングパーティション１は、主に、遮音ボード３ａ、振動板５、音響振動子９等から構成される。
【００３９】
遮音ボード３ａは、例えば石膏ボードであり、従来の遮音パーティション１００（図７）で用いられる遮音ボード１０３と同様のものを用いることができる。すなわち、遮音ボード３ａは、それ自体が物理的な遮音・吸音性能を発揮する部材である。
【００４０】
遮音ボード３ａの略中央部には、所定の大きさの開口部７が形成される。開口部７は、遮音ボード３ａを厚さ方向に貫通する。なお、開口部７は、遮音ボード３ａの大きさに対して十分に小さいものとする。
【００４１】
遮音ボード３ａの一方の側（マスキングパーティション１の前面側であって、図１（ｂ）の下方）には、開口部７を塞ぐように、振動板５が設けられる。すなわち、振動板５は、開口部７よりもわずかに大きい部材である。振動板５は、例えば、アラミドまたはフェノール樹脂製のハニカムボードである。なお、振動板５の外周縁部は、遮音ボード３ａの前面（開口部７の周縁部）と密着するように圧着等により配置される。
【００４２】
振動板５の背面側には、音響振動子９が接着される。音響振動子９は、信号伝搬手段であるケーブル１１を介して、音響信号発生手段（図示省略）からの音響信号に応じて振動板５を振動させる。なお、図示した例では、音響振動子９が３つ配置された例を示すが、音響振動子９の設置数は問わない。音響振動子９を複数配置し、並列に同相駆動させる場合には、水平方向の音波に対して、指向性を持たせることができる。
【００４３】
すなわち、振動板５から発せられる音波が、振動板５を中心とした球面波から平面波に近くなり、音波の直進性を高めることができる。したがって、より小さい音圧でも、遠くまでマスキング音を放出することができる。すなわち、目的とするエリアに十分なマスキング音を送ることができ、不要なエリアに不快感を与えたり、会話に支障をきたしたりすることを防止することができる。
【００４４】
なお、遮音ボード３ａとしては、例えば、石膏ボードであれば、２０ｍｍ〜４０ｍｍ程度の厚みであることが望ましい。遮音ボード３ａが２０ｍｍよりも薄いと、遮音ボード３ａの物理的な遮音・吸音性能が劣り、４０ｍｍを超えると、マスキングパーティション１自体の厚みが厚く、重量増などの問題が生じるためである。
【００４５】
また、振動板５の厚さは、４ｍｍ〜１５ｍｍであることが望ましい。振動板５の厚さが４ｍｍより薄いものは製造性が悪く、１５ｍｍを超えると、インピーダンスが高く、効率良く振動を伝えることが難しくなるためである。なお、音響振動子９のサイズは、遮音ボード３ａの厚みよりも薄く、開口部７の内部に収容された音響振動子９が、遮音ボード３ａの背面側に突出することがないことが望ましい。
【００４６】
次に、マスキングパーティション１の機能について説明する。前述の通り、音響信号発生手段から音響信号を受けると、音響振動子９は振動板５を振動させる。これにより、振動板５から音波が放射される。また、同時に、振動板５は、外周部が遮音ボード３ａと密着するため、遮音ボード３ａ自体にも振動が伝搬される。したがって、マスキングパーティション１の全体から音波が放出される。したがって、会話漏れ音声に対して、マスキング音により秘匿化することができる。
【００４７】
なお、音響信号発生手段からの音響信号としては、空調音や音楽など適宜設定することができるが、特に、音声に対してマスキング効果を高めるためには、特開２０１２−４８１２０「秘匿化データ生成装置、秘匿化データ生成方法、秘匿化装置、秘匿化方法及びプログラム」に記載の方法を用いてもよい。例えば、以下のように秘匿化データを作成し、秘匿化データを再生してもよい。
【００４８】
まず、所定の平均的な日本人の男声および女声を混合収録した音声データ及び予め与えられる音楽データの各々に対して所定の区間単位のフレームｆに分割し、音声フレーム群及び音楽フレーム群を生成する。音声フレーム群及び音楽フレーム群から、音声最大値スペクトルＶｖ（ｊ）（ｊは周波数）及び音楽平均値スペクトルＶｍ（ｊ）を生成する。詳しくは、音声フレーム群及び音楽フレーム群の各クレームに対して周波数解析を行い、音声フレームの時間軸方向に最大のスペクトルである単一の音声最大値スペクトルＶｖ（ｊ）を算出し、音楽フレームの時間軸方向に平均化したスペクトルである音楽平均値スペクトルＶｍ（ｊ）を算出する。なお、音楽平均値スペクトルＶｍ（ｆ,ｊ）として、音楽フレームの前後Ｍフレーム（Ｍ個）に渡って時間軸方向に平均化したスペクトルを算出するようにしても良い。
【００４９】
音声最大値スペクトルデータ及び音楽平均値スペクトルデータから、フレームｆごとに、フィルタ関数Ｆ（ｊ）を算出する。詳しくは、音声最大値スペクトルＶｖ（ｊ）に基づく値を、音楽平均値スペクトルＶｍ（ｊ）に基づく値によって互いに対応する周波数ｊごとに除した値である除算値スペクトルＤｉｖ（ｊ）を算出し、更に、除算値スペクトルＤｉｖ（ｊ）の各値に対して、互いに対応する周波数ｊごとにヒト聴覚感度の重みを定義した聴覚感度補正曲線Ｌ（ｊ）に基づく値を乗算することにより、フィルタ関数Ｆ（ｊ）を作成する。
【００５０】
音楽データに対し、フレームｆごとに、フィルタ関数Ｆ（ｊ）を参照しながら秘匿化データが作成される。すなわち、音楽データを所定の区間単位であるフレームｆに分割し、分割された各フレームｆをフーリエ変換し、フィルタ関数Ｆ（ｊ）を乗じ、フーリエ逆変換することによって、秘匿化データが生成される。なお、上述の演算は図示を省略したコンピュータによって行い、あらかじめ生成された秘匿化データを音響信号発生手段の保存部に記憶させておき、使用時には、音響信号発生手段によって当該秘匿化データを読み出して再生すればよい。
【００５１】
このような秘匿化データは、空調音のみならず、自然音、一般の音楽など室内環境に最適なジャンルの音源を選別して、室内環境を快適にしながら、比較的低い音量でマスキング効果を働かせることができる。
【００５２】
以上、本実施の形態によれば、効率の良いマスキングパーティションを提供することができる。特に、遮音ボード全体を音響振動子によって直接振動させる方法と比較して、インピーダンスの低い振動板５を用い、音響振動子９によって振動させることで、振動板５から音波を放出することができるとともに、振動板５を媒介させマスキングパーティション１から音波を放射することができる。
【００５３】
したがって、遮音パーティションとしての遮音・吸音性能を維持しながら、より広い面積から十分な音圧で音波を出力することができる。この際、振動板５の全周が、遮音ボード３ａの前面であって開口部の周縁に密着するため、より効率良く、振動板５を介してマスキングパーティションから音波を放射することができる。
【００５４】
また、複数個の音響振動子９を振動板５に配置し、並列に同相駆動させることにより、平面波に近い音波を放射することができる。したがって、球面波である音波は、距離の２乗で減衰することと比較すれば、より小さい音量でも、遠くまでマスキング効果を得ることができる。
【００５５】
また、音響振動子９は、遮音ボード３ａの開口部７内に収容されるため、音響振動子９がマスキングパーティション１の表面から突出することがなく、必要以上に遮音ボード３ａの厚みを厚くする必要がない。
【００５６】
次に、第２の実施の形態について説明する。図２は、マスキングパーティション１０を示す断面図である。なお、以下の説明において、マスキングパーティション１と同様の機能を奏する構成については、図１と同一の符号を付し、重複する説明を省略する。マスキングパーティション１０は、マスキングパーティション１と略同様の構成であるが、背面側に、さらに遮音ボード３ｂ等が設けられる点で異なる。
【００５７】
マスキングパーティション１０では、遮音ボード３ａの背面に対して、遮音ボード３ｂが配置される。遮音ボード３ｂは、遮音ボード３ａと同様に、石膏ボード等で構成されるが、開口部は形成されない。すなわち、従来の遮音パーティション１００（図７）の遮音ボード１０３と同様の構成である。
【００５８】
遮音ボード３ｂの背面側には、さらに、保護板１３が配置される。保護板１３は、例えばスチール板である。保護板１３のさらに背面側には、吸音材１５が配置される。すなわち、遮音ボード３ｂ、保護板１３、吸音材１５は、従来の遮音パーティション１００と同様の構成であり、マスキングパーティション１０において、遮音・吸音性能を発揮する部位である。
【００５９】
遮音ボード３ａの前面には、保護板１３が配置される。保護板１３は、例えばスチール板である。なお、保護板１３と振動板５との間には、振動板５が振動可能な程度に隙間が開けられる。また、保護板１３の表面に、化粧シート等を配置してもよい。また、遮音ボード３ａ、３ｂの間に、さらに、吸音材（図７の吸音材１０１）を設けてもよい。
【００６０】
マスキングパーティション１０では、振動板５に対して垂直方向に発振される音波は、マスキングパーティション１０の前面方向および背面方向に向けて放射される。振動板５の前面側に放射された音波は、保護板１３を介してマスキングパーティション１０の前方に伝搬する。一方、振動板５の背面側に放射された音波は、遮音ボード３ｂ、吸音材１５等によって、マスキング音が遮音、吸音される。したがって、マスキングパーティション１０は、その前方に対してのみ、マスキング効果を発揮し、背面側に対しては、マスキング音の放射が抑制される。
【００６１】
マスキングパーティション１０によれば、マスキングパーティション１と同様の効果を得ることができる。また、従来の遮音パーティション１００と同等の遮音・吸音効果を発揮させることができる。また、マスキング音を所望の一方の方向に対して放射することができる。また、音響振動子９やケーブル１１が、マスキングパーティション１０の内部に収容されるため、従来の遮音パーティション１００と同等の設置スペースに設置することができる。
【００６２】
次に、第３の実施の形態について説明する。図３（ａ）は、マスキングパーティション２０ａを示す断面図である。マスキングパーティション２０ａは、マスキングパーティション１０と略同様の構成であるが、前面および背面の両側に向けて、振動板５および音響振動子９が配置される点で異なる。
【００６３】
マスキングパーティション２０ａでは、背面側にも遮音ボード３ａが配置される。すなわち、背面側の遮音ボード３ａにも開口部７が形成される。一対の遮音ボード３ａの対向面とはそれぞれ逆側になる部位に振動板５が配置される。それぞれの振動板５には、開口部７に収容されるように、音響振動子９が設けられる。すなわち、マスキングパーティション２０ａは、前面側と背面側とで対称の構成となる。
【００６４】
このようにすることで、マスキングパーティション２０ａの前面側および背面側の両側に向かって、マスキング音を放射することができる。すなわち、１枚のマスキングパーティション２０ａを配置することによって、マスキングパーティション２０ａで仕切られる両側の空間に対してマスキング音を放射することができる。
【００６５】
なお、このような効果は、図３（ｂ）に示す、マスキングパーティション２０ｂによっても得ることができる。マスキングパーティション２０ｂは、１枚の遮音ボード３ａの両面に振動板５が設けられる。すなわち、開口部７は、遮音ボード３ａの両面から振動板５によって塞がれる。
【００６６】
このようにしても、１枚のマスキングパーティション２０ｂを配置することによって、マスキングパーティション２０ｂで仕切られる両側の空間に対してマスキング音を放射することができる。なお、マスキングパーティション２０ａ、２０ｂにおいては、一方の振動板５および音響振動子９をなくし、他方の振動板５および音響振動子９のみでマスキングパーティション２０ａ、２０ｂの前面側および背面側の両側に向かって、マスキング音を放射することもできる。すなわち、一対の遮音ボード３ａを用い、それぞれの開口部７のうち、一方にのみ振動板５を設け、他の開口部７を塞がなくてもよい。または、一枚の遮音ボード３ａを用い、一方の面にのみ振動板５を設けてもよい。
【００６７】
次に、第３の実施の形態について説明する。図４は、マスキングパーティション３０を示す図であり、図４（ａ）は正面図、図４（ｂ）は図４（ａ）のＢ−Ｂ線断面図である。マスキングパーティション３０は、マスキングパーティション１０と略同様の構成であるが、内部に、音響信号発生部３１が配置される点で異なる。
【００６８】
音響信号発生手段である音響信号発生部３１は、音響信号蓄積部から音響信号を読み出して音響信号を再生・増幅する音響信号再生手段と、音響信号再生手段に対して直流電力を供給する直流電力供給手段とから構成される。
【００６９】
音響信号発生部３１は、例えば遮音ボード３ａの一部がくり抜かれて配置される。音響信号発生部３１と音響振動子９および外部商用電源等とは、ケーブル１１を介して接続される。すなわち、音響信号を供給するための信号伝搬手段と、音響信号を発生する音響信号発生手段とが、マスキングパーティション３０内部に配置され、別途外部に設置する必要がない。
【００７０】
遮音ボード３ａには、さらに、音響信号発生部３１の操作を行うことが可能な操作手段である操作部３３が収容される。操作部３３の前面側の保護板１３には開口部が形成される。すなわち、操作部３３のスイッチのレバー部、ボリュームのダイヤル部などが、マスキングパーティション３０の前面に部分的に露出する。なお、操作部３３のスイッチやボリュームの本体は、マスキングパーティション３０の内部に収容される。したがって、マスキングパーティション３０とは別に、他の操作部を配置する必要がない。なお、操作部３３には、リモコン受光部を設けてもよい。例えば、赤外線リモコンを使用する場合には、リモコン受光部の位置に赤外線を通す開口窓をマスキングパーティション３０に設ければよく、操作部３３は前面に全く露出させる必要がなくなる。
【００７１】
マスキングパーティション３０によれば、音響信号発生部３１および操作部３３を内部に収容するため、別途、音響信号発生部等を設置する設置スペースが不要である。また、操作部３３の一部がマスキングパーティション３０の外部に露出するだけであるため、操作性を損なわずに内装材としての美観を維持することができる。
【００７２】
次に、本発明のマスキングパーティションを用いた、マスキングパーティションの設置構造について説明する。図５は、マスキングパーティション設置構造４０を示す図である。なお、マスキングパーティション設置構造４０を構成するそれぞれのパーティションの枚数や配置等は、図示した例に限られない。区切る空間の大きさや、場所等に応じ適宜設定すればよい
【００７３】
マスキングパーティション設置構造４０は、例えば、複数枚のマスキングパーティション１０および１枚のマスキングパーティション３０と、従来の遮音パーティション１００とが組み合わされて構成される。なお、マスキングパーティション１０に代えて、前述した他のマスキングパーティション１、２０ａ、２０ｂ等を用いてもよい。
【００７４】
マスキングパーティション設置構造４０は、例えば、床４１から天井４３までの間を塞ぐように配置される。この際、例えば、床４１から所定の高さまで（図中Ｃ）は、従来の遮音パーティション１００を用いてもよい。例えば、一般的な会議室等においては、人が会話等によって音声を発し、音声を聴くのは、概ね、床４１から１．２ｍ以上の高さである。したがって、この場合には、床４１から１．２ｍ以上の高さにマスキングパーティション１０、３０を設置すればよい。このようにすることで、高価なマスキングパーティションの使用枚数を減らすことができる。なお、設置場所やマスキングの目的等に応じて、床４１からのマスキングパーティション１０、３０の設置高さは適宜設定すればよい。
【００７５】
前述の通り、マスキングパーティション３０には、操作部３３および音響信号発生部３１が内蔵される。マスキングパーティション３０の音響信号発生部３１から発生する音響信号は、ケーブル１１を介してマスキングパーティション３０の音響振動子９に送られるとともに、ケーブル１１によって、他のマスキングパーティション１０の音響振動子９にも送られる。
【００７６】
すなわち、マスキングパーティション３０には、音響信号発生部３１からの音響信号を分岐する分岐手段が設けられる。したがって、一つの音響信号発生部３１から、複数枚のマスキングパーティション１０に対して、音響信号を送り、マスキング音を同期させて発生させることができる。また、マスキングパーティション３０に設けられた単一の操作部３３を操作することで、他の複数枚のマスキングパーティション１０に対しても、同時に再生制御を行うことができる。
【００７７】
なお、マスキングパーティション１０、３０と、天井４３との間は、消防法や空調の関係から塞ぐことができない場合もあるが、そのような制約が無ければ、遮音パーティション１００で塞ぐことが望ましい。より低い音量のマスクキン音でより高い遮音効果を得ることができるとともに、高価なマスキングパーティションの使用枚数を減らすことができる。
【００７８】
マスキングパーティション設置構造４０によれば、必要最低限のマスキングパーティションの配置によって、高いマスキング効果を得ることができる。また、音響信号発生部３１を有するマスキングパーティション３０を１枚だけ配置し、他を音響信号発生部３１が設けられない、マスキングパーティション１０を用いることで、複数のマスキングパーティション１０においてマスキングパーティション３０と同期させたマスキング音を再生することができ、室内騒音を極力抑えながら、高いマスキング効果を得ることができる。また、音響信号発生部３１に２チャンネル・ステレオ音源を再生する機能をもたせることにより、マスキングパーティション３０および複数のマスキングパーティション１０の一部にはＬチャンネルの音響信号を再生させ、他のマスキングパーティション１０にはＲチャンネルの音響信号を再生させることにより、より広がり感のあるマスキング音を再生させることができる。
【００７９】
なお、図６に示すような、マスキングパーティション設置構造４０ａとしてもよい。マスキングパーティション設置構造４０ａでは、マスキングパーティション３０が用いられず、例えばマスキングパーティション１０のみが用いられる。一方、遮音パーティション１００の一部が遮音パーティション４５に置換される。遮音パーティション４５は、マスキング音を発生するための音響振動子９や振動板５は配置されないが、内部に、音響信号発生部３１および操作部３３が配置される。
【００８０】
すなわち、遮音パーティション４５は、通常の遮音パーティション１００と同様に、遮音効果を発揮するとともに、他のマスキングパーティション１０の操作を行うためのものである。また、遮音パーティション４５は、音響信号を発生し、他のマスキングパーティション１０に音響信号を分岐するものである。
【００８１】
マスキングパーティション設置構造４０ａによっても、マスキングパーティション設置構造４０と同様の効果を得ることができる。また、操作部３３等の配置の自由度が高い。
【００８２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８３】
１、１０、２０ａ、２０ｂ、３０………マスキングパーティション
３ａ、３ｂ………遮音ボード
５………振動板
６………遮音材
７………開口部
９………音響振動子
１１………ケーブル
１３………保護板
１５………吸音材
３１………音響信号発生部
３３………操作部
４０、４０ａ………マスキングパーティション設置構造
４１………床
４３………天井
４５………遮音パーティション
１００………遮音パーティション
１０１………吸音材
１０３………遮音ボード
１０５………保護板
１０７………吸音材
【図１】
2013231931.tif 000003
【図２】
2013231931.tif 000004
【図３】
2013231931.tif 000005
【図４】
2013231931.tif 000006
【図５】
2013231931.tif 000007
【図６】
2013231931.tif 000008
【図７】
2013231931.tif 000009